(57)【要約】【課題】卓上に立てて設置することが可能であり、各月ごとに装飾されたイラストと日付を有するカレンダー用紙を同時に２か月分表示することができるようにした卓上カレンダーを提供する。【解決手段】所定数のカレンダー用紙を左右に配分し、カバー本体の左右の各端部に凹部が形成されるように、カバー本体の前面部側の端部に凹部を形成する一方、カバー本体の背面部側の端部に凹部を形成し、左右の各凹部とその対面に形成した穴部に枢支軸を設けると共に、左右に配分したカレンダー用紙に形成した穴部に左右の枢支軸を挿通することによって、左右に配分したカレンダー用紙を前後に分けて重ねた状態で収納し、また左右の枢支軸を中心に回動して左右の各カレンダー用紙を起立させることができるようにした。【選択図】図４
2014221534.tif 000002
【特許請求の範囲】
【請求項１】
所定幅の底面部と該底面部の前後に沿って折り曲げた前面部と背面部とを有するカバー本体と、該カバー本体の背面部に該カバー本体を起立した状態に支持するスタンドとを備え、カバー本体の前面部と背面部の間に収納した所定数のカレンダー用紙をカバー本体に設けた枢支軸で回動自在に設け、各カレンダー用紙の上部に突出形成したインデックスを指先で操作して各カレンダー用紙をカバー本体の側方へ起立状態に表示する卓上カレンダーにおいて、
所定数のカレンダー用紙を左右に配分し、カバー本体の左右の各端部に凹部が形成されるように、カバー本体の前面部側の端部に凹部を形成する一方、カバー本体の背面部側の端部に凹部を形成し、左右の各凹部とその対面に形成した穴部に枢支軸を設けると共に、左右に配分したカレンダー用紙に形成した穴部に左右の枢支軸を挿通することによって、左右に配分したカレンダー用紙を前後に分けて重ねた状態で収納し、また左右の枢支軸を中心に回動して左右の各カレンダー用紙を起立させることができるようにしたことを特徴とする卓上カレンダー。
【請求項２】
所定数のカレンダー用紙を左右に配分する際、奇数月のカレンダー用紙と偶数月のカレンダー用紙とを左右に配して、カバー本体の左右の枢支軸で回動自在に保持したことを特徴とする請求項１記載の卓上カレンダー。
【請求項３】
各カレンダー用紙をカバー本体の側方へ起立状態にしたとき、各カレンダー用紙の上部に設けたイラストが切り抜きされた状態で突出形成されていることを特徴とする請求項１又は２記載の卓上カレンダー。
【発明の詳細な説明】
【技術分野】
【０００１】
本発明は、卓上に設置して各月の日付と各月のイラストを表示する卓上カレンダーに係り、２ケ月分のイラストを同時に表示することができる卓上カレンダーに関する。
【背景技術】
【０００２】
従来から、卓上カレンダーは、カレンダーの表示面を表に向けると共に、スタンドで起立した状態に表示するように構成されている。また、カレンダーの表示面としては、その年の１２ケ月分のカレンダーを用紙の一面に表示するほか、各月の日付を用紙の一面ごとに表示する卓上カレンダーが一般的に使用されている。
【０００３】
ここで、各月の日付を用紙の一面ごとに表示するカレンダーは、例えば、特許文献１の卓上カレンダーのように、各用紙の上部にスプリング等の綴じ具を設けて冊子状に綴じた構成を有する。このカレンダーは、前面に表示された用紙を後方へ回動して捲ることにより、翌月のカレンダーの表面を表示することを可能としたものである。
【０００４】
ところで、上記の卓上カレンダーは、各用紙の上端部にスプリング等の綴じ具を設けた構成であるため、各用紙の上端部を直線状に形成する必要がある。このため、各用紙の上部を上方へ突出した形状のイラストで装飾することは不可能であり、デザインが制限されるものであった。
【０００５】
そこで、本発明の出願人は、特許文献２に示すように、各月の用紙ごとに上方へ突出した任意形状のデザインで装飾し、毎月のカレンダーをインデックスによって、順次、月ごとに表示することができる卓上カレンダーを開発した。
【０００６】
即ち、この卓上カレンダーは、カバー本体を起立した状態に支持するスタンドを有し、カバー本体の前面部と背面部との間にカレンダーを表示した所定数のカレンダー用紙を収納すると共に、カバー本体の前面部と背面部と各カレンダー用紙の夫々の端部に形成した穴部に枢支軸を挿通することによって枢支軸の周りに各カレンダー用紙を回動自在にし、各カレンダー用紙の上部に突出形成したインデックスを指先で操作して各カレンダー用紙をカバー本体の側方へ起立状態に表示するようにしたものである。
【０００７】
しかしながら、上記の特許文献２の卓上カレンダーは、１箇所の枢支軸を中心に回動する各カレンダー用紙を１枚だけ露呈した起立状態に表示する構成であり、２か月分のカレンダー用紙を同時に表示することができる構成ではなかった。
【先行技術文献】
【特許文献】
【０００８】
【特許文献１】特開２０１０−５９３７号公報
【特許文献２】特開２０１３−２２７８１号公報
【発明の概要】
【発明が解決しようとする課題】
【０００９】
本発明は、上記のような事情に鑑みてなされたものであり、卓上に立てて設置することが可能であり、各月ごとに装飾されたイラストと日付を有するカレンダー用紙を同時に２か月分表示することができるようにした卓上カレンダーを提供することを目的とする。
【課題を解決するための手段】
【００１０】
上記の問題を解決するために、本発明における請求項１の卓上カレンダーは、所定幅の底面部と該底面部の前後に沿って折り曲げた前面部と背面部とを有するカバー本体と、該カバー本体の背面部に該カバー本体を起立した状態に支持するスタンドとを備え、カバー本体の前面部と背面部の間に収納した所定数のカレンダー用紙をカバー本体に設けた枢支軸で回動自在に設け、各カレンダー用紙の上部に突出形成したインデックスを指先で操作して各カレンダー用紙をカバー本体の側方へ起立状態に表示する卓上カレンダーにおいて、
所定数のカレンダー用紙を左右に配分し、カバー本体の左右の各端部に凹部が形成されるように、カバー本体の前面部側の端部に凹部を形成する一方、カバー本体の背面部側の端部に凹部を形成し、左右の各凹部とその対面に形成した穴部に枢支軸を設けると共に、左右に配分したカレンダー用紙に形成した穴部に左右の枢支軸を挿通することによって、左右に配分したカレンダー用紙を前後に分けて重ねた状態で収納し、また左右の枢支軸を中心に回動して左右の各カレンダー用紙を起立させることができるようにしたことを特徴とする。
【００１１】
また、本発明における請求項２の卓上カレンダーは、請求項１において、所定数のカレンダー用紙を左右に配分する際、奇数月のカレンダー用紙と偶数月のカレンダー用紙とを左右に配して、カバー本体の左右の枢支軸で回動自在に保持したことを特徴とする。
【００１２】
さらに、本発明における請求項３の卓上カレンダーは、請求項１又は２において、各カレンダー用紙をカバー本体の側方へ起立状態にしたとき、各カレンダー用紙の上部に設けたイラストが切り抜きされた状態で突出形成されていることを特徴とする。
【発明の効果】
【００１３】
本発明の卓上カレンダーによれば、カバー本体の左右に設けた枢支軸を中心にカレンダー用紙を回動して、起立した状態に表示をすることが可能となる。従って、本発明において、所定数のカレンダー用紙を左右に配分する際、奇数月のカレンダー用紙と偶数月のカレンダー用紙を左右に配して左右の各枢支軸で回動自在に保持した構成とすることによって、例えば１月と２月、又は２月と３月等のように、連続した月のカレンダー用紙を同時に表示することが可能となる。
【００１４】
また、本発明のような卓上カレンダーにおいては、１個のカバー本体の左右に配分した複数枚のカレンダー用紙を回動して起立状態にする構成では、左右のカレンダー用紙がカバー本体の内部で重ならないように構成すると、カバー本体が左右に長い形状となってコンパクト化の支障となる。これを避けるために、カバー本体の左右に配分したカレンダー用紙をカバー本体の内部で前後に重ねるように収納すると、左右のカレンダー用紙が乱雑に重なったり、ぶつかるおそれがあり、スムーズに収納することが困難となる。
【００１５】
そこで、本発明では、所定数のカレンダー用紙を左右に配分すると共に、カバー本体の左右の各端部に凹部が形成されるように、カバー本体の前面部側の端部に凹部を形成する一方、カバー本体の後面部側の端部に凹部を形成し、左右の各凹部とその対面に形成した穴部に枢支軸を設け、左右に配分したカレンダー用紙に形成した穴部に左右の枢支軸を挿通する。このような構成により、左右に配分したカレンダー用紙を前後に分けて重ねた状態で収納し、また左右の枢支軸を中心に回動して左右の各カレンダー用紙を起立させることが可能となる。
【００１６】
また、上記の構成によって、カバー本体の左右で回動する各カレンダー用紙は、カバー本体の内部で前後に整理された状態で収納することが可能となり、カバー本体のコンパクト化に有益となる。また、左右の枢支軸を中心に左右の各カレンダー用紙をカバー本体内に収納したり起立する際も、左右のカレンダー用紙が互いにぶつかったりすることがなく、円滑に収納することが可能となる。
【００１７】
また、上記のような本発明の卓上カレンダーにより、カバー本体の左右にて所望のカレンダー用紙をインデックスの操作によってカバー本体の左右の側方へ起立状態にすることができ、各カレンダー用紙の切り抜き形状のイラストを上方へ突出した状態で表示することが可能であり、その意匠性もより向上したものとなる。
【図面の簡単な説明】
【００１８】
【図１】本発明による実施例の卓上カレンダーの斜視図であって、夫々のカレンダー用紙をカバー本体に収納した状態を示す。
【図２】本発明による実施例の卓上カレンダーの斜視図であって、１枚目のカレンダー用紙を起立している状況を示す。
【図３】本発明による実施例の卓上カレンダーの斜視図であって、２枚目のカレンダー用紙を起立している状況を示す。
【図４】本発明による実施例の卓上カレンダーの斜視図であって、２枚目のカレンダー用紙を起立した状況を示す。
【図５】本発明による実施例の卓上カレンダーにおけるカバー本体の展開図である。
【図６】本発明による実施例の卓上カレンダーの斜視図であって、その下部にカバー本体の片側の凹部及び枢支軸の部分拡大図を図示している。
【図７】本発明による実施例の卓上カレンダーにおける左右の枢支軸の取付箇所間の断面図である。
【図８】本発明による実施例の卓上カレンダーの背面側の斜視図である。
【図９】本発明による実施例の卓上カレンダーの背面側の斜視図であって、スタンドを組み立てる初期の状態を示す。
【図１０】本発明による実施例の卓上カレンダーの背面側の斜視図であって、スタンドを組み立てた状態を示す。
【発明を実施するための形態】
【００１９】
以下、本発明の実施例について図面を参照しながら説明する。
【実施例】
【００２０】
本実施例の卓上カレンダー１は、図１〜図４に示すように、カバー本体２の左右の下端部に設けた枢支軸３ａ、３ｂを中心にカレンダー用紙４を回動することによって、各カレンダー用紙４の上部に突出形成したインデックス５を指先で操作して各カレンダー用紙４をカバー本体２の左右の側方へ起立した状態に表示可能としたものである。
【００２１】
このような本実施例の卓上カレンダー１について詳細に述べると、カバー本体２は、図５に示す展開形状のように、カバー本体２の素材となる厚紙を用いて、所定幅の底面部２ｃと該底面部２ｃの前後に形成した折曲線６ａ、６ｂに沿って折り曲げ可能に設けた前面部２ａと背面部２ｂとを形成してある。また、カバー本体２の背面部２ｂに該カバー本体２を起立した状態に支持するスタンド７が形成されている。
【００２２】
なお、本実施例の卓上カレンダー１を１年分のカレンダーとし、各月を１枚ごとのカレンダー用紙４で表示する場合、全部で１２枚のカレンダー用紙４を使用するものとなる。このカレンダー用紙４の合計厚さは、カレンダー用紙４の使用枚数によって異なるものであり、カレンダー用紙４の合計枚数を収納すべき前面部２ａと背面部２ｂの間隔、即ち底面部２ｃの幅は、カレンダー用紙４の使用枚数によって決定すべきものである。
【００２３】
また、上記の構成において、カバー本体２の形状は、主に前面部２ａと背面部２ｂの形状によって決定される。本実施例の場合、三角屋根を有する家屋のような形状にした前面部２ａと背面部２ｂとを帯状の底面部２ｃを挟んで対称に形成した構成としている。このように、カバー本体２は、前面部２ａと背面部２ｂとを底面部２ｃで連結した構成を有し、組立て後は、カバー本体２の両側部及び上方部が開放した形状を有するものとなる。
【００２４】
また、図５に示すように、カバー本体２の前面部２ａと背面部２ｂの下端の左右の端部において、切込線８ａ、８ｂと折曲線８ｃ、８ｄを形成することによって、図７に示すように、前面部２ａ側に凹部９ａを形成する一方、カバー本体２の背面部２ｂ側に凹部９ｂを形成している。さらに、図５に示すように、左右の各凹部９ａ、９ｂとその対面に形成した穴部１０に、図７に示すように、枢支軸３ａ、３ｂを設けた構成としている。
【００２５】
上記の卓上カレンダー１は、各カレンダー用紙４に月ごとの日付を表示すると共に、図４に示すように、各カレンダー用紙４をカバー本体２の側方へ起立状態にしたとき、各月に応じたイラストの外形が突出形状４ａとして突出するように形成している。
【００２６】
また、各月ごとに１枚のカレンダー用紙４を用いる場合、１年間で１２枚のカレンダー用紙４を必要とする。本実施例では、１年間のカレンダー用紙４を左右に配分してあり、例えば、図１に示すように、左側の６枚のカレンダー用紙４に奇数月を表す「１、３、５、７、９、１１」の数字を記したインデックス５を突出形成し、右側の６枚のカレンダー用紙４に偶数月を表す「２、４、６、８、１０、１２」の数字を記したインデックス５を突出形成するようにしている。
【００２７】
なお、左右の各カレンダー用紙４に形成されたインデックス５は、夫々の奇数月を表す「１、３、５、７、９、１１」の数字を記したインデックス５と、右側の６枚のカレンダー用紙４に偶数月を表す「２、４、６、８、１０、１２」の数字を記したインデックス５の形成位置を順次ずらすことによって重ならないように形成するようにしている。
【００２８】
上記の構成において、図７に示すように、カバー本体２を組み立て、左右に配分したカレンダー用紙４Ａ、４Ｂの各穴部４ｂに左右の枢支軸３ａ、３ｂを挿通することによって、カバー本体２の前面部２ａと背面部２ｂとの間において、左右に配分したカレンダー用紙４Ａ、４Ｂを前後に配分し、重ねた状態で収納することが可能となる。
【００２９】
また、上記のように、本実施例では、１年分を全部で１２枚のカレンダー用紙４で構成する場合、それを２分して左右に６枚ずつ配分し、各枢支軸３ａ、３ｂで奇数月の６ケ月分のカレンダー用紙４Ａと偶数月の６ケ月分のカレンダー用紙４Ｂを回転可能に保持することが可能となる。
【００３０】
一方、上記の構成において、カバー本体２の背面部２ｂに設けたスタンド７は、図５に示す１枚の厚紙に形成した構成によって、図１０に示す組み立て形状に形成することが可能である。即ち、スタンド７は、図８に示すように、左右に所定幅を開けて一対の縦状の折曲線１１ａ、１１ｂを形成すると共に、各折曲線１１ａ、１１ｂから左右に遠ざかる方向へ三角形のような二辺をなす切抜き線１２ａ、１２ｂを形成し、各切抜き線１２ａ、１２ｂで切抜き形成したスタンド片１３ａ、１３ｂを各折曲線１１ａ、１１ｂで起立可能としたものである。
【００３１】
さらに、これらの左右のスタンド片１３ａ、１３ｂの間に横方向起立片１４を形成し、その一辺に形成した折曲げ線１４ａで折り曲げると共に、横方向起立片１４の左右の端部に形成した凹部１６ａ、１６ｂを各スタンド片１３ａ、１３ｂに形成した凹部１５ａ、１５ｂに嵌め合わすことによって、左右のスタンド片１３ａ、１３ｂを起立した状態に固定することができる。このようなスタンド７の構成により、図１０に示すように、カバー本体２をやや斜めに起立した状態に立てることが可能となる。
【００３２】
本実施例は、上記のように構成されているため、図７に示すように、左右の枢支軸３ａ、３ｂに回動自在に設けた各カレンダー用紙４Ａ、４Ｂを前面部２ａと背面部２ｂとの間に収納することによって、左右の各カレンダー用紙４Ａ、４Ｂが前後に整理されると共に重なった状態で収納することが可能となる。
【００３３】
また、図２〜図４に示すように、所望のカレンダー用紙４のインデックス５を指先で操作し、回動することによって、図４に示すように、カバー本体２の左右の側方へ起立状態にすることができる。このようにして、２ヶ月連続のカレンダー用紙４をカバー本体２の左右の側方へ起立させることができ、各カレンダー用紙４のイラストが切り抜かれた突出形状４ａを上方に表示した意匠性で表示することが可能となる。
【産業上の利用可能性】
【００３４】
本発明の卓上カレンダーは、卓上に立てて設置することが可能であり、各月ごとに装飾されたイラストと日付を有するカレンダー用紙を同時に２か月分表示することができるようにした卓上カレンダーとして利用可能である。
【符号の説明】
【００３５】
１  卓上カレンダー
２  カバー本体
２ａ  前面部
２ｂ  背面部
２ｃ  底面部
３ａ、３ｂ  枢支軸
４  カレンダー用紙
４Ａ  奇数月のカレンダー用紙
４Ｂ  偶数月のカレンダー用紙
４ａ  突出形状
４ｂ  穴部
５  インデックス
６ａ、６ｂ  折曲線
７  スタンド
８ａ、８ｂ  切込線
８ｃ、８ｄ  折曲線
９ａ  凹部
９ｂ  凹部
１０  穴部
１１ａ、１１ｂ  折曲線
１２ａ、１２ｂ  切抜き線
１３ａ、１３ｂ  スタンド片
１４  横方向起立片
１４ａ  折曲げ線
１５ａ、１５ｂ  凹部
１６ａ、１６ｂ  凹部
【図１】
2014221534.tif 000003
【図２】
2014221534.tif 000004
【図３】
2014221534.tif 000005
【図４】
2014221534.tif 000006
【図５】
2014221534.tif 000007
【図６】
2014221534.tif 000008
【図７】
2014221534.tif 000009
【図８】
2014221534.tif 000010
【図９】
2014221534.tif 000011
【図１０】
2014221534.tif 000012